(57)【特許請求の範囲】
【請求項１】
植物を焼いて炭化物をつくる炭焼器において、水平に対して３０〜６０〔°〕の範囲の角度により傾斜させ、自然風が内部に流れ込むように上広がりのテーパを有する筒形状に形成した側面部と、この側面部の下端に、隙間を設けて結合した底面部とにより、容器状に構成したことを特徴とする炭焼器。
【請求項２】
植物を焼いて炭化物をつくる炭焼器において、水平に対して３０〜６０〔°〕の範囲の角度により傾斜させ、自然風が内部に流れ込むように上広がりのテーパを有する筒形状に形成した側面部と、この側面部の下端に着脱可能となる底面部とにより、容器状に構成したことを特徴とする炭焼器。
【発明の詳細な説明】
【０００１】
【発明の属する技術分野】
本発明は、植物を焼いて炭化物をつくる炭焼器に関する。
【０００２】
【背景及び課題】
一般に、炭は、木片（植物）を焼いてつくられるが、現在、加熱源や暖房源としての需要が少なくなっていることから、商業上の炭焼設備は、限られた場所に僅かに存在するのみであり、また、一般向けの炭焼器は、需要面からほとんど提供されていないのが実情である。
【０００３】
一方、果樹農園等において、りんごの木等の果樹の剪定を行った場合、剪定した枝片が多量に生じるため、従来より枝片の適切な処分、特に、その有効活用が望まれていた。
【０００４】
本発明は、このような背景に鑑みたものであり、果樹の剪定後に発生する多量の枝片等の植物から容易かつ効率的に炭（炭化物）をつくることができ、もって、多量の植物の有効活用を図ることができる炭焼器の提供を目的とする。
【０００５】
【課題を解決するための手段及び実施の形態】
本発明に係る炭焼器１は、植物Ｂ…を焼いて炭化物をつくる炭焼器１であって、水平に対して３０〜６０〔°〕の範囲の角度Ｒにより傾斜させ、自然風Ｗが内部に流れ込むように上広がりのテーパを有する筒形状に形成した側面部２と、この側面部２の下端に、隙間を設けて結合した底面部１１とにより、容器状に構成したことを特徴とする。
【０００６】
また、本発明の他の形態に係る炭焼器１は、植物Ｂ…を焼いて炭化物をつくる炭焼器１であって、水平に対して３０〜６０〔°〕の範囲の角度Ｒにより傾斜させ、自然風Ｗが内部に流れ込むように上広がりのテーパを有する筒形状に形成した側面部２と、この側面部２の下端に着脱可能となる底面部１１とにより、容器状に構成したことを特徴とする。
【０００７】
【実施例】
次に、本発明に係る好適な実施例を挙げ、図面に基づき詳細に説明する。
【０００８】
まず、本実施例に係る炭焼器１の構成について、図１〜図５を参照して説明する。
【０００９】
炭焼器１は、図１に示すように、ステンレス鋼板等の金属板により形成した底面部１１と、同じくステンレス鋼板等の金属板により形成し、底面部１１の外周部から立上げた側面部２により構成する。
【００１０】
この場合、底面部１１は、図２に示すように、直径６０〔ｃｍ〕程度に選定した円形となるように形成する。また、側面部２は、上広がりのテーパを有する筒形状に形成する。なお、側面部２の上端は、直径１２０〔ｃｍ〕程度に選定するとともに、側面部２の高さは３０〔ｃｍ〕程度に選定することが望ましい。また、側面部２の水平に対する傾斜の角度Ｒ（図３参照）は、３０〜６０〔°〕の範囲、最適値としては、４５〔°〕前後に選定することが望ましい。
【００１１】
一方、側面部２の上端辺における所定の複数位置には、半円形の凹部を形成し、ロッド３１…（図２参照）を載せて係合させることができるロッド係合部１４…を設ける。実施例のロッド係合部１４…は、大きさの異なるロッド係合部１４…を合わせて十ケ所に設けた場合を示している。
【００１２】
また、底面部１１と側面部２は、それぞれ別体に形成し、図４及び図５に示すように、溶接部２１…により結合する。この場合、溶接は、所定間隔おきに複数位置に施す。これにより、底面部１１と側面部２間には、僅かな隙間２２…が設けられる。この隙間２２…は、消火用の水Ｌを入れた際における排水部として機能する。このような構成により、炭焼器１は、上方に開口し、かつ傾斜した側面部２により上広がりの容器状となる。
【００１３】
次に、炭焼器１の使用方法について、図１〜図５を参照して説明する。
【００１４】
まず、図１に示すように、炭焼器１を屋外における任意の載置面Ｅに載置する。載置面Ｅとしては、例えば、果樹農園の地面上とすることができる。また、炭焼器１の中には、火種をつくるための植物Ｂ…を所定量収容する。植物Ｂ…としては、例えば、果樹農園における果樹を剪定した後に生じる枝片とすることができる。そして、炭焼器１の中に火種をつくる植物Ｂ…（枝片）を収容したなら、当該植物Ｂ…に着火する。
【００１５】
この場合、炭焼器１を屋外の載置面Ｅに載置したため、自然風Ｗを利用できる。即ち、炭焼器１に向かって吹いた自然風Ｗは、点線矢印で示すように、傾斜した側面部２の表面に沿って内部に流れ込むとともに、流れ込んだ自然風Ｗは、植物Ｂ…の存在により炭焼器１から上方へ排出され、これにより、内側や下側の植物Ｂ…も良好に焼かれる。
【００１６】
なお、側面部２の上端辺に設けたロッド係合部１４…には、図２に仮想線で示すように、一本又は複数本の金属ロッド３１…を自由に架け渡すことができるため、例えば、お湯を沸かす容器を金属ロッド３１…の上に載せたり、金属ロッド３１…を串として利用するなどにより、植物Ｂ…（枝片）を焼いた際に発生する熱を有効利用できる。
【００１７】
一方、植物Ｂ…が燃え始めたなら、炭焼器１の中へ植物Ｂ…を順次追加していく。そして、炭焼器１の中がある程度一杯になり、かつ燃え尽きれば、炎が無くなり、真っ赤なおき火状態となるため、炭焼器１の中に水Ｌを入れて消火する。炭焼器１に所定量の水Ｌを入れれば、水Ｌは、一旦、炭焼器１の中に貯留するため、植物Ｂ…を完全に消火させることができる。また、図５に示すように、貯留した水Ｌは、時間の経過に伴って、底面部１１と側面部２間に設けた隙間２２…から矢印Ｌｄ方向に排出され、排出された水Ｌは、地面に浸透する。
【００１８】
これにより、植物Ｂ…を焼いた炭（炭化物）が得られるため、得られた炭は、果樹農園或いは他の農地等において使用することができる。この場合、得られた炭は商用使用ではないため、その出来栄えは無視でき、例えば、一部が灰になったとしても問題はない。ところで、炭化物は、各種の効用が知られている。例えば、農地の土壌に混ぜれば、土壌改良剤としての効用を発揮するため、土壌を肥やして保水性を高めることができる。
【００１９】
他方、図６及び図７には、炭焼器１の変更実施例を示す。図６の炭焼器１は、底面部１１の形状を正方形にしたものである。したがって、側面部２の形状も、正面部２ｃ，背面部２ａ，右側面部２ｂ及び左側面部２ｄの四面部を組み合わせた形状となり、平面視が正方形となる。また、底面部１１の辺部に複数（例示は八つ）の取付片３５…を突出形成し、この取付片３５…をボルトナット３６…を用いて側面部２に固定した場合を示す。これにより、側面部２と底面部１１の着脱が可能となり、後述する図７の変更実施例のように、側面部２のみで使用することもできる。なお、図６の変更実施例は、底面部１１を正方形としたが、一般的には、任意の多角形或いは非円形（楕円形等）により実施することができる。また、図６の変更実施例において、形状を除いた他の構成は、図１〜図５に示した実施例と基本的に同じであり、いずれの形状であっても、図１〜図５に示した炭焼器１と同様に使用できるとともに、同様の効果を得ることができる。このため、図６において、図２と同一部分には、同一符号を付し、その構成を明確にするとともに、その詳細な説明は省略する。
【００２０】
さらに、図７は、底面部１１を使用しない側面部２のみを用いた炭焼器１を示す。したがって、図７に示す炭焼器１は、載置面Ｅがそのまま炭焼器１の底面部として用いられるため、炭焼器１に収容した植物Ｂ…は、直接、載置面Ｅの上に置かれることになる。この場合、炭焼器１を、農地の土壌の上に載置すれば、消火時に、炭焼器１の中に土壌Ｅｓを入れて、植物Ｂ…を消火することができる。消火後は、炭焼器１を持ち上げて取り去れば、炭と消火用の土壌Ｅｓが載置面Ｅ（土壌）上に残るため、そのまま農地で利用することができる。なお、図７中、図１と同一部分には、同一符号を付し、その構成を明確にするとともに、その詳細な説明は省略する。
【００２１】
このような本実施例に係る炭焼器１は、上方に開口し、かつ傾斜した側面部２により上広がりの容器状に構成するとともに、使用時には、屋外の載置面Ｅに載置し、さらに、炭焼器１の中に植物Ｂ…を所定量収容するとともに、この植物Ｂ…を焼いて炭をつくれるようにしたため、特に、果樹の剪定後に発生する多量の枝片から容易かつ効率的に炭をつくることができ、もって、多量の枝片の有効活用を図ることができる。しかも、持ち運びが容易であるため、任意の場所に載置して手軽に使用できるとともに、金属ロッド３１…を用いれば、焼却熱を有効利用でき、多様性（多機能性）に優れた炭焼器１として使用することができる。
【００２２】
以上、実施例について詳細に説明したが、本発明は、このような実施例（変更実施例）に限定されるものではなく、細部の構成，形状，数量，素材，大きさ等において、本発明の要旨を逸脱しない範囲で任意に変更，追加，削除することができる。例えば、炭焼器１は、必要により他の用途に使用できる。具体的には、植物Ｂ…を完全に焼却する焼却器として使用することも可能であり、残った灰はカリ肥料として有効活用できるとともに、使用しないときは、鎌等の農具の収容ケースとして用いるなど、その用途は任意である。また、枝片のみではなく、任意の植物Ｂ…、例えば、藁，アスパラ，とうもろこしの芯，雑草，枯葉等のあらゆる植物を焼くことにより有益な炭化物を得ることができる。
【００２３】
【発明の効果】
このように、本発明に係る炭焼器は、植物を焼いて炭化物をつくる炭焼器において、水平に対して３０〜６０〔°〕の範囲の角度により傾斜させ、自然風が内部に流れ込むように上広がりのテーパを有する筒形状に形成した側面部と、この側面部の下端に、隙間を設けて結合した底面部又は着脱可能となる底面部とにより、容器状に構成してなるため、次のような顕著な効果を奏する。
【００２４】
（１）  特に、果樹の剪定後に発生する多量の枝片等の植物から容易かつ効率的に炭（炭化物）をつくることができ、もって、多量の枝片等（植物）の有効活用を図ることができる。
【００２５】
（２）  水平に対して３０〜６０〔°〕の範囲の角度により傾斜させ、自然風が内部に流れ込むように上広がりのテーパを有する筒形状に形成したため、内側や下側の植物も良好に焼くことができる。
【００２６】
（３）  側面部の下端に、隙間を設けて結合した底面部を設けたため、炭焼器に所定量の水を入れれば、水は、一旦、炭焼器の中に貯留するため、植物を完全に消火させることができるとともに、貯留した水は、時間の経過に伴って、底面部と側面部間に設けた隙間から排出され、排出された水を地面に浸透させることができる。
【図面の簡単な説明】
【図１】  本発明の好適な実施例に係る炭焼器の縦断側面図、
【図２】  同炭焼器の平面図、
【図３】  同炭焼器の側面図、
【図４】  同炭焼器の底面部と側面部の溶接状態を示す平面図、
【図５】  同炭焼器から水が排出される作用説明図、
【図６】  本発明の変更実施例に係る炭焼器の平面図、
【図７】  本発明の他の変更実施例に係る炭焼器の縦断側面図、
【符号の説明】
１      炭焼器
２      側面部
１１    底面部
Ｂ…    植物
Ｒ      角度
Ｗ      自然風
【図１】
0004067788.tif 000002
【図２】
0004067788.tif 000003
【図３】
0004067788.tif 000004
【図４】
0004067788.tif 000005
【図５】
0004067788.tif 000006
【図６】
0004067788.tif 000007
【図７】
0004067788.tif 000008